(57)【要約】【課題】動画コンテンツ撮影と同時に行われる静止画コンテンツ撮影時の時間情報をハイライトシーン検出希望箇所として利用し、その近傍をハイライトシーン検出することにより、動画コンテンツ全体をハイライトシーン検出するのに比べて、ハイライトシーン検出にかかる時間を短縮する。その結果、ハイライトシーンを再生するまでの即時性を向上する映像再生装置を提供することを目的とする。【解決手段】静止画時間情報と動画時間情報とを比較して時間情報からなるハイライトシーン検出希望箇所を生成するハイライトシーン検出希望箇所生成部１０５と、ハイライトシーン検出希望箇所の近傍をハイライトシーン検出してハイライトシーン情報を生成するハイライトシーン検出部１０６を設けた。【選択図】図１
2008294513.tif 000002
【特許請求の範囲】
【請求項１】
１つもしくは複数の静止画コンテンツを入力する静止画コンテンツ入力手段と、
前記静止画コンテンツ入力手段から得られる静止画コンテンツから撮影時の時間情報を取得する静止画時間情報処理手段と、
動画コンテンツを入力する動画コンテンツ入力手段と、
前記動画コンテンツ入力手段から得られる動画コンテンツから撮影時の時間情報を取得する動画時間情報処理手段と、
前記静止画時間情報処理手段から得られる静止画時間情報と前記動画情報処理手段から得られる動画時間情報とを比較して時間情報からなるハイライトシーン検出希望箇所を生成するハイライトシーン検出希望箇所生成手段と、
前記ハイライトシーン検出希望個所生成手段から得られるハイライトシーン検出希望箇所の近傍をハイライトシーン検出してハイライトシーン情報を生成するハイライトシーン検出手段と、
前記ハイライトシーン検出手段から得られるハイライトシーン情報を記憶するハイライトシーン情報記憶手段と、
前記動画コンテンツ入力手段から動画コンテンツを読みだし、前記ハイライトシーン情報記憶手段から得られるハイライトシーン情報に従って動画コンテンツの再生箇所を決定するコンテンツ処理手段と、
前記コンテンツ処理手段から得られる動画コンテンツの再生箇所に従って動画コンテンツを再生するコンテンツ再生手段とを備えることを特徴とする映像再生装置。
【請求項２】
前記コンテンツ再生手段で再生された映像を表示する表示手段をさらに備えることを特徴とする、請求項１に記載の映像再生装置。
【発明の詳細な説明】
【技術分野】
【０００１】
本発明は、動画コンテンツのハイライトシーンを再生する映像再生装置に関するものである。
【背景技術】
【０００２】
従来の映像再生装置は、動画コンテンツ全体をハイライトシーン検出して、ハイライトシーンを再生している（例えば、特許文献１参照）。また、例えば、特許文献２に記載されているように、動画コンテンツとそれに関連する静止画コンテンツを関連して表示するものがある。
【特許文献１】特開２００６−１４０８５号公報
【特許文献２】特開２００６−１６５８２４号公報
【発明の開示】
【発明が解決しようとする課題】
【０００３】
しかしながら、前記従来の構成では、動画コンテンツ全体をハイライトシーン検出するため、ハイライトシーンを再生するまでに時間がかかるという課題を有していた。ここで、例えば、結婚式などのイベントでは、ビデオカメラでの動画撮影だけでなく、スチルカメラによる静止画撮影も同時に行われる。通常、動画撮影はイベント全体を通して行われるが、静止画撮影はそのイベントでのハイライトシーンで行われることが多い。
【０００４】
本発明は、前記従来の課題を解決するもので、動画コンテンツ撮影と同時に行われる静止画コンテンツ撮影時の時間情報をハイライトシーン検出希望箇所として利用し、その近傍をハイライトシーン検出することにより、動画コンテンツ全体をハイライトシーン検出するのに比べて、ハイライトシーン検出にかかる時間を短縮する。その結果、ハイライトシーンを再生するまでの即時性を向上する映像再生装置を提供することを目的とする。
【０００５】
なお、前記従来の構成では、動画コンテンツと静止画コンテンツとを関連づけて表示するものがあるが、静止画コンテンツの時間情報を利用して動画コンテンツのハイライトシーン検出にかかる時間を短縮するという本発明の目的を実現するものではない。
【課題を解決するための手段】
【０００６】
前記従来の課題を解決するために、本発明の映像再生装置は、静止画時間情報と動画時間情報とを比較して時間情報からなるハイライトシーン検出希望箇所を生成するハイライトシーン検出希望箇所生成手段と、前記ハイライトシーン検出希望個所生成手段から得られるハイライトシーン検出希望箇所の近傍をハイライトシーン検出してハイライトシーン情報を生成するハイライトシーン検出手段を設けることにより、動画コンテンツ全体をハイライトシーン検出するのに比べて、ハイライトシーン検出にかかる時間を短縮する。
【発明の効果】
【０００７】
以上のように、本発明の映像再生装置によれば、動画コンテンツ全体をハイライトシーン検出するのに比べて、ハイライトシーン検出にかかる時間を短縮することができ、ハイライトシーンを再生するまでの即時性を高めることができる。
【発明を実施するための最良の形態】
【０００８】
以下、本発明を実施するための最良の形態について、図面を参照しながら説明する。
【０００９】
（実施の形態）
図１は、本発明の実施の形態における映像再生装置の構成図である。図１において、１０１は静止画コンテンツ入力部であり、静止画コンテンツを入力する。１０２は静止画時間情報処理部であり、静止画コンテンツ入力部１０１から得られる静止画コンテンツから撮影時の時間情報を取得する。１０３は動画コンテンツ入力部であり、動画コンテンツを入力する。１０４は動画時間情報処理部であり、動画コンテンツ入力部１０３から得られる動画コンテンツから撮影時の時間情報を取得する。１０５はハイライトシーン検出希望箇所生成部であり、静止画時間情報処理部１０２から得られる静止画時間情報と動画情報処理部１０４から得られる動画時間情報とを比較して時間情報からなるハイライトシーン検出希望箇所を生成する。１０６はハイライトシーン検出部であり、ハイライトシーン検出希望個所生成部１０５から得られるハイライトシーン検出希望箇所の近傍をハイライトシーン検出してハイライトシーン情報を生成する。１０７はハイライトシーン情報記憶部であり、ハイライトシーン検出部１０６から得られるハイライトシーン情報を記憶する。１０８は動画コンテンツ処理部であり、動画コンテンツ入力部１０３から動画コンテンツを読みだし、ハイライトシーン情報記憶部１０７から得られるハイライトシーン情報に従って動画コンテンツの再生箇所を決定する。１０９は動画コンテンツ再生部であり、動画コンテンツ処理部１０８から得られる動画コンテンツの再生箇所に従って動画コンテンツを再生し映像を出力する。１１０は表示部であり、動画コンテンツ再生部１０９で出力された映像を表示する。
【００１０】
次に、本発明の実施の形態によるハイライトシーン再生装置の動作について図１を用いて説明する。まず、静止画コンテンツ入力部１０１に撮影時の時間情報がｔｓ１である静止画コンテンツＳ１、撮影時の時間情報がｔｓ２である静止画コンテンツＳ２が入力されているとする。また、動画コンテンツ入力部１０３に撮影時の時間情報が［ｔｍｓ−ｔｍｅ］である動画コンテンツＭが入力されているとする。ただし、ｔｍｓ  ＜  ｔｓ１  ＜  ｔｓ２  ＜  ｔｍｅであるとする。
【００１１】
次いで、静止画時間情報処理部１０２では、静止画コンテンツ入力部１０１から得られる静止画コンテンツＳ１から撮影時の時間情報ｔｓ１を、静止画コンテンツＳ２から撮影時の時間情報ｔｓ２を取得する。次いで、動画時間情報処理部１０４では、動画コンテンツ入力部１０３から得られる動画コンテンツＭから撮影時の時間情報［ｔｍｓ−ｔｍｅ］を取得する。次いで、ハイライトシーン検出希望箇所生成部１０５では、静止画時間情報処理部１０２から得られる静止画時間情報ｔｓ１，  ｔｓ２と動画情報処理部１０４から得られる動画時間情報［ｔｍｓ−ｔｍｅ］とを比較して時間情報からなるハイライトシーン検出希望箇所（ｔｓ１，  ｔｓ２）を生成する。次いで、ハイライトシーン検出部１０６では、ハイライトシーン検出希望個所生成部１０５から得られるハイライトシーン検出希望箇所（ｔｓ１，  ｔｓ２）の近傍をハイライトシーン検出してハイライトシーン情報［ｔｈ１ｓ−ｔｈ１ｅ］  ，  ［ｔｈ２ｓ−ｔｈ２ｅ］を生成する。ただし、ｔｍｓ  ＜  ｔｈ１ｓ  ＜  ｔｓ１  ＜  ｔｈ１ｅ  ＜  ｔｈ２ｓ  ＜  ｔｓ２  ＜  ｔｈ２ｅ  ＜  ｔｍｅであるとする。
【００１２】
次いで、ハイライトシーン情報記憶部１０７では、ハイライトシーン検出部１０６から得られるハイライトシーン情報［ｔｈ１ｓ−ｔｈ１ｅ］  ，  ［ｔｈ２ｓ−ｔｈ２ｅ］を記憶する。次いで、動画コンテンツ処理部１０８では、動画コンテンツ入力部１０３から動画コンテンツＭを読みだし、ハイライトシーン情報記憶部１０７から得られるハイライトシーン情報［ｔｈ１ｓ−ｔｈ１ｅ］  ，  ［ｔｈ２ｓ−ｔｈ２ｅ］に従って動画コンテンツＭの再生箇所［ｔｈ１ｓ−ｔｈ１ｅ］  ，  ［ｔｈ２ｓ−ｔｈ２ｅ］を決定する。
【００１３】
次いで、動画コンテンツ再生部１０９では、動画コンテンツ処理部１０８から得られる動画コンテンツＭの再生箇所［ｔｈ１ｓ−ｔｈ１ｅ］  ，  ［ｔｈ２ｓ−ｔｈ２ｅ］に従って動画コンテンツＭを再生し映像を出力する。次いで、表示部１１０では、動画コンテンツ再生部１０９から出力される映像を表示する。
【００１４】
なお、ここでは、静止画コンテンツ入力部１０１に入力する静止画コンテンツを２つとして説明したが、１つもしくは２つ以上を入力することも可能である。
【産業上の利用可能性】
【００１５】
本発明にかかる映像再生装置は、動画コンテンツ全体をハイライトシーン検出するのに比べて、ハイライトシーン検出にかかる時間を短縮することができ、ハイライトシーンを再生するまでの即時性を高めることができるので、動画コンテンツのハイライトシーンを再生する映像再生装置等の用途に有用である。
【図面の簡単な説明】
【００１６】
【図１】本発明の実施の形態における映像再生装置の構成図
【符号の説明】
【００１７】
１０１    静止画コンテンツ入力部
１０２    静止画時間情報処理部
１０３    動画コンテンツ入力部
１０４    動画時間情報処理部
１０５    ハイライトシーン検出希望箇所生成部
１０６    ハイライトシーン検出部
１０７    ハイライトシーン情報記憶部
１０８    動画コンテンツ処理部
１０９    動画コンテンツ再生部
１１０    表示部
【図１】
2008294513.tif 000003